(57)【要約】      （修正有）【課題】光学性能に影響することなく大型サイズのアンテナが支持されることを可能にする光学構造体、照明ユニット及び製造方法を提供する。【解決手段】照明ユニットによる光出力を処理するための光学構造体であって、構造体の光学層２３の領域３４内又は領域３４上にアンテナ３６が形成される。領域３４は、光学層２３の光ビーム処理部分２１ａから離れている。【選択図】図５
2018010873.tif 000002
【特許請求の範囲】
【請求項１】
光出力を光学的に処理するための第１のビーム処理構造を画定するように形状化された光学層であって、前記第１のビーム処理構造からずれた少なくとも１つの領域を備える、光学層と、
前記少なくとも１つの領域上に又は前記少なくとも１つの領域内に形成されたアンテナと、
を含む、照明ユニットによる光出力を処理するための光学構造体。
【請求項２】
前記第１のビーム処理構造はレンズを含む、請求項１に記載の光学構造体。
【請求項３】
前記第１のビーム処理構造は反射器又は拡散体を含む、請求項１に記載の光学構造体。
【請求項４】
前記光学層は、プラスチック材料で形成される、請求項１乃至３の何れか一項に記載の光学構造体。
【請求項５】
前記光学層は、ポリカーボネート又はＰＭＭＡで形成される、請求項４に記載の光学構造体。
【請求項６】
前記アンテナは、前記光学層の前記少なくとも１つの領域に印刷される、請求項１乃至３の何れか一項に記載の光学構造体。
【請求項７】
前記アンテナは、３Ｄ表面印刷によって形成される、請求項６に記載の光学構造体。
【請求項８】
前記少なくとも１つの領域は平坦であるか又は湾曲している、請求項１乃至３の何れか一項に記載の光学構造体。
【請求項９】
前記少なくとも１つの領域は、下にある基部の上に突起物を含み、前記突起物及び前記基部は単一形状の光学層から形成される、請求項１乃至３の何れか一項に記載の光学構造体。
【請求項１０】
回路構成要素を担持するプリント回路基板と、
前記プリント回路基板上に少なくとも１つの照明ユニットを含む照明装置と、
前記照明装置上に提供される請求項１乃至９の何れか一項に記載の光学構造体と、
を含み、
前記光学構造体の前記アンテナと前記プリント回路基板上の前記回路構成要素との間に電気接続が設けられている、照明ユニット。
【請求項１１】
前記プリント回路基板上の少なくとも１つのはんだ付けされたスプリングコンタクトとの接触を前記アンテナが行う当該スプリングコンタクトを有し、前記照明ユニットはＬＥＤユニットを含む、請求項１０に記載の照明ユニット。
【請求項１２】
前記プリント回路基板上の前記回路構成要素は、前記アンテナに接続された、無線照明制御信号を受信する及び／又は送信するための無線受信及び／又は送信回路を含む、請求項１０又は１１に記載の照明ユニット。
【請求項１３】
前記光学構造体は、前記少なくとも１つの領域上又は前記少なくとも１つの領域内に形成された、無線照明制御信号を受信する及び／又は送信するための無線受信及び／又は送信回路を更に含む、請求項１０又は１１に記載の照明ユニット。
【請求項１４】
各照明ユニットからの光出力を光学的に処理するための第１のビーム処理構造を画定するために光学層を成形し、前記第１のビーム処理構造からずれた少なくとも１つの領域を画定するために前記光学層を成形するステップと、
前記少なくとも１つの領域上又は前記少なくとも１つの領域内にアンテナを形成するステップと、
を含む、照明ユニットによる光出力を処理するための光学構造体を製造するための方法。
【請求項１５】
前記成形するステップが、前記光学層をプラスチック材料として設けるステップと、前記少なくとも１つの領域を前記第１のビーム処理構造からずれた突出部として成形するステップと、を含み、
前記形成するステップが、前記突出部の表面に前記アンテナを印刷するステップを含む、請求項１４に記載の方法。
【発明の詳細な説明】
【技術分野】
【０００１】
本発明は、照明ユニット、照明ユニットで使用するための光学構造体及び製造方法に関する。
【背景技術】
【０００２】
無線遠隔制御によって制御可能な照明ユニットはよく知られている。事実、現在、無線制御可能な照明製品に対する需要の増加がある。遠隔制御システムは、例えば、少なくとも、照明ユニットに組み込まれる受信アンテナ及びＲＦ受信回路を必要とする、ＲＦ回路を基にしたものとされ得る。
【０００３】
ＲＦ無線伝送回路は、当然、携帯電話などの多くの様々な無線用途において、無線信号を送信及び受信するために広く用いられている。しかしながら、このような回路を照明製品に組み込むことには課題がある。
【０００４】
無線機能を実施するための多くの手法があり、種々のオプションがある。選択されるオプションは、所望の設計柔軟性、性能及びコストに依存する。例えば、アンテナはワイヤをベースにしたものとされ得る。又は、その代わりに、アンテナは、ＲＦ及び制御回路と共にＰＣＢ上に印刷され得る。
【０００５】
アンテナの性能は、無線制御可能な照明製品の全体的な性能にとって非常に重要である。
【０００６】
図１に概略的に示されるように、典型的なＬＥＤ照明ユニットは、異なる構成単位（building block）に分割され得る。基本要素は、ハウジング１と、ＬＥＤドライバ回路基板２と、ＬＥＤダイが実装される回路基板を含んでもよいＬＥＤパッケージ４と、光ビーム整形構成要素６と、を含む。ハウジング１は、ランプからの熱の放散を助けるヒートシンク機能を提供することができる。照明ユニットは、電気ソケットに接続するための電気コネクタ７を有する。
【０００７】
ビーム整形構成要素は、１つ又は複数のＬＥＤの光出力を光学的に処理する。各ＬＥＤは、通常、３ｍｍ２サイズを有し、セラミック支持基板上に実装される。ビーム整形構成要素は、所望の出力のビーム形を提供するため、また、ＬＥＤの点光源の外観を模すために使用される。ビーム整形構成要素は、屈折構成要素（レンズなど）、又は反射コリメータなどの反射構成要素とされ得る。
【０００８】
アンテナは、通常、ＬＥＤドライバＰＣＢ２又はランプ内のＬＥＤ基板上に組み込まれる。この結果、無線信号は、熱伝導性材料、通常、アルミニウム合金などの金属で作製されたヒートシンク又はハウジングを含むランプの構成要素によって遮蔽される。無線信号の出口／受信窓もまた、ランプ内において可能な限り小さく作製されるＰＣＢの寸法によって制限される。米国特許出願公開第２００２／２７４２０８Ａ１号は、前カバーを備え、アンテナがそのヒートシンク上方にあり、ＰＣＢ上に配置されたランプを開示する。米国特許出願公開第２００７／１３８９７８Ａ１号は、固体源の出力を仮想源（virtual source）へと変換するための光学処理要素を備えた固体照明器具を開示する。米国特許出願公開第２０１２００２６７２６Ａ１号は、光学素子及びそのヒートシンク上方にワイヤレス制御モジュール２６２０を備えたランプを開示する。
【０００９】
米国特許出願公開第２０１３／００６３３１７号は、アンテナを組み込む方法を開示する。このアンテナはレンズの表面に設けられる。
【発明の概要】
【発明が解決しようとする課題】
【００１０】
米国特許出願公開第２０１３／００６３３１７号においては、非平坦レンズ表面ではアンテナの組み込みの実施が困難であり、また、所望の放射性能を実現するにはアンテナのサイズが大型である必要があり得るため、システムの光学性能に影響を及ぼす。従って、アンテナが光を遮断したり、見えたりする場合がある。
【００１１】
アンテナ印刷のための十分な面積がないか、又は、光学性能に影響しないことが望まれる場合、これら方法は容易に採用され得ない。
【００１２】
これら問題により良好に対処するために、光学性能に影響することなく大型サイズのアンテナが支持されることを可能にし得る光学構造体を有することが有利である。
【課題を解決するための手段】
【００１３】
本発明によれば、独立請求項に記載の光学構造体、照明ユニット及び製造方法が提供される。
【００１４】
一態様においては、本発明は、
光出力を光学的に処理するための第１のビーム処理構造を画定するような形状の光学層であって、前記光学層が、第１のビーム処理構造からずれた少なくとも１つの領域を備える、光学層と、
少なくとも１つの領域上又は内に形成されたアンテナと、
を含む、照明ユニットによって光出力を処理するための光学構造体を提供する。
【００１５】
この構造では、照明ユニットの光ビーム整形構成要素にアンテナを組み込む。光学層の専用領域（この領域はビーム処理光学素子から離れている）内又は上にアンテナを設けることによって、光学出力に大きく影響することなく、アンテナのサイズ及び形状は自由に選択され得る。
【００１６】
第１のビーム処理構造はレンズを含んでもよい。このレンズは、例えば、光出力を平衡にするために、又は他のビーム整形機能のために使用され得る。第１のビーム処理構造は、レンズのアレイを含み得る。少なくとも１つの領域は、従って、これらレンズ間にスペースを含み得る。
【００１７】
第１のビーム処理構造は、その代わりに、反射器又は拡散体を含み得る。
【００１８】
アンテナは、従って、照明ユニットの光学設計に元々必要な任意の光学構成要素に組み込まれ得る。
【００１９】
光学層は、ポリカーボネート又はＰＭＭＡなどのプラスチック材料で形成され得る。これは、低コストのアンテナ支持を提供する。アンテナは、光学層の少なくとも１つの領域に、例えば、３Ｄ表面印刷によって印刷されてもよい。
【００２０】
少なくとも１つの領域は平坦とすることができ、これにより、例えば、印刷によるアンテナの適用がより簡単になる。しかしながら、少なくとも１つの領域は、その代わりに、湾曲させることができる。
【００２１】
少なくとも１つの領域は、下にある基部上の突起物を含み得る。突起物は基部とされ得る単一形状の光学層から形成されてもよい。これにより、アンテナ面積を、第１のビーム処理構造のビーム整形要素間にて利用可能な側方スペースよりも広くすることが可能になる。
【００２２】
本発明は、また、
回路構成要素を担持するプリント回路基板と、
プリント回路基板上の少なくとも１つの照明ユニットを含む照明装置と、
照明装置上に提供される本発明の光学構造体と、
を含み、
光学構造体のアンテナとＰＣＢ上の回路構成要素との間に電気接続が設けられる、
照明ユニットを提供する。
【００２３】
この照明ユニットでは、アンテナを、アンテナへと接続する構成要素を担持するＰＣＢ上に設ける。アンテナは、ＰＣＢを越える高さにあることから遮蔽が回避されるように配置され得る。
【００２４】
ＰＣＢ上の、少なくとも１つのはんだ付けされたスプリングコンタクトが提供され得る。これにより、アンテナが接触を形成する。
【００２５】
好適な例では、照明ユニットは、ＬＥＤユニットを含む。
【００２６】
ＰＣＢ上の回路構成要素は、アンテナに接続された、無線照明制御信号を受信する及び／又は送信するための無線受信機及び／又は送信機回路を含み得る。
【００２７】
その代わりに、光学構造体は、少なくとも１つの領域上又は内に形成された、無線照明制御信号を受信する及び／又は送信するための無線受信機及び／又は送信機回路を更に含み得る。従って、アンテナに関連する回路は、ＰＣＢ上に設けられ得るか、又は、光学構造体上（又は内）にも設けられ得る。
【００２８】
本発明は、また、
各照明ユニットからの光出力を光学的に処理するための第１のビーム処理構造を画定するために光学層を成形し、第１のビーム処理構造からずれた少なくとも１つの領域を画定するために光学層（２３）を成形するステップと、
少なくとも１つの領域上又は内にアンテナを形成するステップと、
を含む。
成形するステップが、光学層をプラスチック材料として設けるステップと、少なくとも１つの領域を第１のビーム処理構造からずれた突出部として成形するステップと、を含むことができ、
前記形成するステップが、突出部の表面にアンテナを印刷するステップを含み得る、照明ユニットによって光出力を処理するための光学構造体の製造方法を提供する。
【００２９】
ここで、本発明の実施例が、添付の図面を参照しながら詳細に記載される。
【図面の簡単な説明】
【００３０】
【図１】ＬＥＤ照明ユニットのよく知られた構造を示す。
【図２】例示的実施形態による、照明ユニット内で使用され得る光学構造体の１つの例を示す。
【図３】例示的実施形態による、照明ユニット内で使用され得る光学構造体の別の例を示す。
【図４】光学構造体の一例を概略形態において示す。
【図５】照明ユニットの第１の例をより詳細に示す。
【図６】照明ユニットの第２の例をより詳細に示す。
【図７】照明ユニットの第３の例をより詳細に示す。
【図８】照明ユニットの第４の例をより詳細に示す。
【図９】アンテナのレイアウトの１つの例を示す。
【発明を実施するための形態】
【００３１】
本発明は、照明ユニットによって光出力を処理するための光学構造体を提供する。構造の光学層の領域内又は上にアンテナが形成される。領域は、その層の光ビーム処理部分から離れている／ずれている。
【００３２】
アンテナは平坦構造又は３Ｄ構造とされ得る。光学層のビーム整形機能は、レンズ機能、拡散体機能又は反射器機能とされ得る。光学性能への影響を最小にするコンパクトな設計が可能とされる。アンテナによって処理される信号の遮蔽が低減され、無線信号の出口窓（exit window）が最大化され得る。
【００３３】
照明ユニットの全体的な構造を示す図１を参照すると、本発明は、無線通信用のアンテナが光学構成要素６に組み込まれた種々の設計を提供する。
【００３４】
図２は、コリメーティング光学系１２及びＬＥＤ照明１５を含むＬＥＤベースの照明器具１００の１つの可能な実装形態をより詳細に示す。コリメーティング光学系１２は、全内反射コリメータなどの反射コリメータ１３を含む。反射コリメータ１３は、ＬＥＤ照明を受け入れるための第１のアパーチャを有する。更に、反射コリメータ１３は、出射光が反射コリメータ１３を出ることを可能にするための第２のアパーチャ、即ち、開口部１９を有する。第２のアパーチャ１９は、通常、第１のアパーチャよりも大きなサイズ（直径）のものである。反射コリメータ１３は、第１のアパーチャから第２のアパーチャ１９まで延在する外壁２１を有する。外壁２１の内側表面は、入射光を第１のアパーチャから第２のアパーチャ１９に向かって案内し、故に、全内反射コリメータを形成するために、反射性である。
【００３５】
反射コリメータ１３は、第１のアパーチャの中心から第２のアパーチャ１９の中心に向かう方向に延びる反射コリメータ１３の光軸Ａを中心に回転対称であってもよい。反射コリメータ１３は、第１のアパーチャがカップの底部の中央に配置され、第２のアパーチャ１９がカップの上部開口部に相当する、略カップ形状の形態を有する。
【００３６】
直径Ｄを有する凸レンズ２１が第２のアパーチャ１９に配置されており、第２のアパーチャ１９の少なくとも一部を覆っている。凸レンズ２１は曲率半径ｒを有する。示される凸レンズ２１は平凸レンズである。平凸レンズの平面表面は、第２のアパーチャ１９に面している。場合によっては、凸レンズ２１は、円錐凸レンズ（conic convex lens）であってもよい。更に、凸レンズ２１の球面の代わりとするために、他の非球面レンズ構造が用いられてもよい。
【００３７】
好ましくは、凸レンズ２１の光軸は、反射コリメータ１３の光軸Ａに一致する。
【００３８】
コリメーティング光学系１２は、レンズ形状を画定する、又はレンズの取り付けのための支持体を提供する、のいずれかである表面板２３を含む。いずれの場合においても、板２３とレンズは共に光学層を画定する。第２のアパーチャ１９内において、光学層は、ＬＥＤの光出力を光学的に処理するための第１のビーム処理機能を実施する。
【００３９】
表面板２３は第２のアパーチャ１９を覆っている。表面板２３は半透明な材料で作製される。
【００４０】
図３は、同様に、コリメーティング光学系１２及びＬＥＤ照明１５を含む、別の照明器具２００を示す。照明器具２００のコリメーティング光学系１２は、凸レンズがフレネルレンズ２１’であるという点で、照明器具１００のコリメーティング光学系１２と異なる。
【００４１】
フレネルレンズは、フレネル帯としても知られる複数の切子面２４を含む。切子面２４はレンズの同心輪部分である。
【００４２】
フレネルレンズ２１’は、表面板２３と一体的に形成されるものとして示される。事実、コリメーティング光学系１２全体が、プラスチックなどの一種類の材料のみを含む１つの部品で形成されてもよい。
【００４３】
本発明は、照明ユニット及び光学層に関し、光学層は、光出力の領域を越えて、即ち、第２の出口窓１９を越えて延在する。従って、光学層は、光ビーム整形という目的を備えた領域であって、そこを通じて光源からの出力が提供されるようになっている、光ビーム整形という目的を備えた領域と、光出力を提供するようになっていない追加領域と、を有する。当然、これら追加領域における光の通過を生じさせる幾らかの光の漏れはあるが、それらは、ビーム処理機能を実施するようには意図も設計もされてはいない。
【００４４】
図４は、光学構成要素６の一例を示す。この例は、一組の３つの光源のビーム整形を提供するためのものである。この光源は、通常、図２及び図３の例と同様にＬＥＤであるが、本発明はＬＥＤ照明に限定されず、光源は他の種類のランプとされ得る。構成要素は、３つの独立したビーム整形構成要素２１ａ、２１ｂ、２１ｃを有する。
【００４５】
これらビーム整形構成要素は、図４に概略的に示される。これらはそれぞれ、レンズ（屈折レンズ若しくはフレネルレンズのいずれか）と、コリメータと、例えば、拡散体若しくは反射器と、又は実際には、これらの組み合わせと、を含み得る。図２及び図３の例は、レンズと反射コリメータとの組み合わせを示すが、これらは純粋に例である。更に、図２及び図３は、光学構成要素のみを示す。ランプは、また、光源及び熱放散構成要素を制御するためのドライバ／制御盤を含む。
【００４６】
光学構成要素６は、ランプの外側（前側）に配置されており、特に、表面板２３を形成する。
【００４７】
アンテナ３０は、光学構成要素６上に設けられるか、光学構成要素６内に組み込まれるが、ビーム整形構成要素２１ａ、２１ｂ、２１ｃからずれている。これは、それらがビーム整形構成要素を通る光路から離れていることを意味する。アンテナをＲＦ回路及び制御回路に接続するために電気接続が提供される。１つの例では、図４のユニット３２によって示されるように、ＲＦ回路の一部又は全てもまた、光学構成要素６上又は光学構成要素６内に設けられる。
【００４８】
光学構成要素は、非限定的な例では、ポリカーボネート（ＰＣ）又はポリ（メチルメタクリレート）（ＰＭＭＡ）から形成され得る。ＰＥＴ（ポリエチレンテレフタレート）、ＰＥ（ポリエチレン）、ＰＣＴ（ポリクロヘキシレンジメチレン（polychlohexylenedimethylene）テレフタル酸塩）などの他のプラスチックも使用され得る。又は、光学構成要素は、任意選択的に、ガラス製とされ得る。プラスチック材料においては、板は、例えば、射出成形、インサート成形、押出成形、又は３Ｄ印刷され得る。
【００４９】
図５は、一組のＬＥＤと、それぞれ図２に示されるような形態の、対応するコリメーティング光学系を含む、照明ユニットの第１の例を示す。２つのＬＥＤ配置が、１３ａ、１５ａ、１９ａ、２１ａ及び１３ｂ、１５ｂ、１９ｂ、２１ｂとして示される。アンテナ３０は、光学シート２３の外部表面上の、光学シート２３のビーム整形部分からずれた領域３４に設けられる。
【００５０】
アンテナ３０とメインドライバＰＣＢとの間に電気接続を設けるため、コンタクトビア３６がシート２３内に延在し、スプリングコンタクト３８がシート２３の下面とＰＣＢ２との間を接続する。ドライバ回路構成要素及びＲＦ受信回路がＰＣＢ２上に設けられるが、図が煩雑になることを避けるため図示されない。
【００５１】
別の配置においては、アンテナは、光学シート２３の内側表面の、光学シートのビーム整形部分からずれた領域３４に設けられる。これにより、シート内にコンタクトが作製される必要を回避する。
【００５２】
図６は、アンテナ３０がシートの平坦部分に設けられず、上昇した突起物４０上に設けられる第１の別の設計を示す。これは、光学シート２３の成形又は押出部分とされ得るか、そうでなければ、光学シートに取り付けられる、別個に形成された構成要素とされ得る。
【００５３】
アンテナ３０は、スペースを節約し、且つ製品設計全体への影響を最小にするために、突起物４０の３Ｄ表面上に設けられ得る。この例では、突起物はコリメータの間にある。光の大半はコリメータを通過するため、光学性能への影響は大幅に低下する。
【００５４】
図７は、他の回路構成要素又はＩＣチップ５０が光学シート２３上又は内に設けられる第２の別の設計を示す。これらはＲＦ受信回路の幾つか又は全てとされ得る。例えば、ＲＦチップは、約０．５ｍｍ２の面積を占有してもよい。
【００５５】
図５〜図７のそれぞれでは、アンテナから回路基板への接続は、スプリングコンタクト３８を使用するものとして示される。しかしながら、例えば、ピンコンタクト、はんだ付けワイヤなどの、又は導電性接着剤の使用による、他の電気機械的な接続が使用され得る。アンテナと接続ワイヤとの間、及び接続ワイヤとプリント回路基板との間において低温はんだ付けが使用され得る。
【００５６】
アンテナは、光学シート２３の平面上又は突起物上のいずれかに、表面印刷によって形成され得る。３Ｄ表面印刷は、レーザ再構成印刷（ＬＲＰ：laser restructuring printing）、３Ｄパターン印刷又は３Ｄエアロゾル印刷を使用して実施され得る。ＬＲＰでは、後にアンテナを形成し得る導電性トラックを作製するための銀ペーストを用いた３Ｄスクリーン印刷を使用する。レーザはトラック形状を精巧にするために使用される。最小の線厚さ及びトラック間隔は約０．１５ｍｍとされ得る。この方法は、また、連結されたスルーホールを形成する機能も有する。
【００５７】
エアロゾルジェット印刷では、マスク又はパターンを用いることなく微細フィーチャ回路及び埋込構成要素を作製するために、ナノ材料を使用する。得られる機能的電子回路は、数十ミクロン〜センチメートルの範囲にわたる線幅及びパターンフィーチャを有し得る。
【００５８】
或いは、アンテナはフレキシブルプリント回路基板上に設けられ、その後、突起物４０に巻回され得る。
【００５９】
ハウジング若しくはヒートシンクによる遮蔽が低減されることから、このような３Ｄアンテナの無線性能は、ＰＣＢアンテナ、又はセラミックＬＥＤ基板上に構築されたセラミックアンテナよりも良好である。
【００６０】
ＭＲ１６型照明器具用の、図４に示されるようなレンズ層上の平面ＬＲＰアンテナの試験では、１５ｍという良好なZigBeeワイヤレス制御距離が示されたが、これは、前のＰＣＢアンテナで得られるものに比べて良好である。突起物及び３Ｄアンテナを設けることによって、サイズ及び方向における設計の柔軟性が増加し、そのため、平面アンテナに比べてより良好な無線性能が得られる。これにより、スポットライトランプなどの小型サイズのランプ内に高性能アンテナを設けるという課題に対処する。
【００６１】
例えば、ZigBee通信用の２．４ＧＨｚ帯のλ／４モノポールアンテナでは、アンテナの標準サイズは長さ約３．１ｃｍである。ＲＦＩＤ通信用の９００ＭＨｚ帯のλ／２ダイポールアンテナでは、標準サイズは長さ約１６．７ｃｍであり、ほとんどの場合において長過ぎる。
【００６２】
このため、ほぼ３ｃｍ〜１０ｃｍの範囲内の全長を有する蛇行アンテナ形状が必要とされるが、平面アンテナが用いられる場合、スポットライトなどの小型ランプでは実装が極めて困難である。湾曲した突起物上にアンテナを設けることによって、スペースの制約が緩和される。
【００６３】
この設計は大量生産技術を用いて製造され得ると共に、ワイヤアンテナを使用するよりも簡単である。アンテナの形状及びサイズは印刷プロセスによって正確に制御され得る。この設計はプリンタ制御ソフトウェアによって変更され得るため、この製造方法は、種々の用途の種々のアンテナ設計に応じて柔軟にすることができる。
【００６４】
アンテナ方向もまた、遮蔽を回避し、予期される信号源へと向けることによって、最良の信号送信及び受信に最適化され得る。突起物のサイズはアンテナサイズのニーズに応じたものであり、製造プロセスによって制限されてもよい。
【００６５】
シート２３の幾つかの異なる可能な製造方法は上に記載した。コリメータの反射器部分はシート２３と一体に形成され得るため、同じプロセスにより形成され得る。コリメータの反射器部分は、その代わりに、別個の構成要素として形成されてもよく、例えば、射出成形、打ち抜き又は反射材を用いた他の形成法によって作製されてもよい。或いは、反射器の内部表面への反射塗装のステップがあってもよい。
【００６６】
上の例は全て反射性コリメータを示す。図８は、ビーム整形光学素子としてフレネルレンズのみを使用する例を示す。図８は、また、ＲＦ回路５０及びメインＰＣＢ２上のＬＥＤドライバ回路６０を示す。ＬＥＤの周囲にスペーサ６２が設けられ、これらは反射性とされ得る。図８は、再度、突起物上に形成されたアンテナを示し、且つＰＣＢへのはんだ付けワイヤ接続を示す。
【００６７】
従って、アンテナ設計、アンテナ配置、ビーム整形光学素子のタイプ及び光源のタイプの幾つかの異なる代替案がある。これらオプションは個々に選択され得る。
【００６８】
本発明は単一光源に適用され得る。この場合、光学シート２３は、アンテナ実装用の、単一ビーム整形光学素子を越えて延在する領域を有する。本発明は、その代わりに、上記例に示されるように、３つなどの光源のアレイに適用され得る。これらは異なる色であってもよく、光学素子は、更に、光混合を提供し得る。しかしながら、同一色の光源であっても、ＬＥＤのアレイなどのアレイがあり得る。アレイは、通常、数十個以下の個々のＬＥＤを含んでもよい。
【００６９】
上記例は全て表面実装型アンテナ設計を示す。しかしながら、光学シートは、アンテナが光学シートに埋め込まれるようにアンテナ周囲に成形され得る。これは、金属層として形成されたアンテナの、プラスチックレンズへのインサート成形によって実施され得る。
【００７０】
アンテナは、所望の長さ及び幅を実現するために任意の所望の形状をとることができる。例として、図９は、約２ｍｍの幅及び３０ｍｍ〜４０ｍｍの長さを有してもよいアンテナパターン９０を示す。
【００７１】
光学シートとコリメーティング反射器は単一構成要素として成形され得る。ＬＥＤからの光出力はコリメーティング反射器の内側表面にて全内反射で反射され得る。そのため、レンズ機能及び反射機能の両方を提供する完全な構造が透明材料から形成され得る。
【００７２】
当業者であれば、請求される発明の実施において、図面、開示及び添付の特許請求の範囲の研究から、開示される実施形態以外の変形形態は理解及び実施され得る。特許請求の範囲において、「含む」という語は、他の要素又はステップを排除せず、不定冠詞「a」又は「an」は複数を排除しない。単一のプロセッサ又は他のユニットは特許請求の範囲に列挙される幾つかの物品の機能を満足してもよい。特定の施策が相互に異なる従属請求項に列挙されるという単なる事実は、これら施策の組み合わせが効果的に使用され得ないことを示すものではない。特許請求の範囲の任意の参照符号は範囲を限定するものと解釈されるべきではない。
【図１】
2018010873.tif 000003
【図２】
2018010873.tif 000004
【図３】
2018010873.tif 000005
【図４】
2018010873.tif 000006
【図５】
2018010873.tif 000007
【図６】
2018010873.tif 000008
【図７】
2018010873.tif 000009
【図８】
2018010873.tif 000010
【図９】
2018010873.tif 000011
【手続補正書】
【提出日】平成29年8月17日(2017.8.17)
【手続補正１】
【補正対象書類名】特許請求の範囲
【補正対象項目名】全文
【補正方法】変更
【補正の内容】
【特許請求の範囲】
【請求項１】
光出力を光学的に処理するための第１のビーム処理構造を画定するように形状化された光学層であって、前記第１のビーム処理構造からずれた少なくとも１つの領域を備える、光学層と、
前記少なくとも１つの領域上に又は前記少なくとも１つの領域内に形成された回路又はＩＣチップと、
を含む、照明ユニットによる光出力を処理するための光学構造体。
【請求項２】
前記回路は無線受信及び／又は送信回路を含む、請求項１に記載の光学構造体。
【請求項３】
前記回路はＲＦ回路又はＲＦチップの少なくとも一部を含む、請求項１に記載の光学構造体。
【請求項４】
前記光学構造体は、更に、前記少なくとも１つの領域上に又は前記少なくとも１つの領域内に形成されたアンテナを含む、請求項１乃至３の何れか一項に記載の光学構造体。
【請求項５】
前記第１のビーム処理構造はレンズを含む、請求項１に記載の光学構造体。
【請求項６】
前記第１のビーム処理構造は反射器又は拡散体を含む、請求項１に記載の光学構造体。
【請求項７】
前記光学層は、プラスチック材料で形成される、請求項１乃至６の何れか一項に記載の光学構造体。
【請求項８】
前記アンテナは、前記光学層の前記少なくとも１つの領域に印刷される、請求項４に記載の光学構造体。
【請求項９】
前記少なくとも１つの領域は平坦であるか又は湾曲している、請求項１乃至８の何れか一項に記載の光学構造体。
【請求項１０】
前記少なくとも１つの領域は、下にある基部の上に突起物を含み、前記突起物及び前記基部は単一形状の光学層から形成される、請求項１乃至６の何れか一項に記載の光学構造体。
【請求項１１】
回路構成要素を担持するプリント回路基板と、
前記プリント回路基板上に少なくとも１つの照明ユニットを含む照明装置と、
前記照明装置上に提供される請求項１乃至１０の何れか一項に記載の光学構造体と、
を含み、
前記光学構造体の前記回路又は前記ＩＣチップと前記プリント回路基板上の前記回路構成要素との間に電気接続が設けられている、照明ユニット。
【請求項１２】
前記プリント回路基板上の少なくとも１つのはんだ付けされたスプリングコンタクトとの接触を前記回路又は前記ＩＣチップが行う当該スプリングコンタクトを有し、前記照明ユニットはＬＥＤユニットを含む、請求項１１に記載の照明ユニット。
【請求項１３】
前記プリント回路基板上の前記回路構成要素は、前記アンテナに接続された、無線照明制御信号を受信する及び／又は送信するための無線受信及び／又は送信回路を含む、請求項４に従属する請求項１１又は１２に記載の照明ユニット。
【請求項１４】
前記光学構造体は、前記少なくとも１つの領域上又は前記少なくとも１つの領域内に形成された、無線照明制御信号を受信する及び／又は送信するための無線受信及び／又は送信回路を更に含む、請求項１１又は１２に記載の照明ユニット。
【請求項１５】
各照明ユニットからの光出力を光学的に処理するための第１のビーム処理構造を画定するために光学層を成形し、前記第１のビーム処理構造からずれた少なくとも１つの領域を画定するために前記光学層を成形するステップと、
前記少なくとも１つの領域上に又は前記少なくとも１つの領域内に回路又はＩＣチップを形成するステップと、
を含む、照明ユニットによる光出力を処理するための光学構造体を製造するための方法。
【外国語明細書】
2018010873000001.pdf